(57)【特許請求の範囲】
【請求項１】
ガス流を生成するための圧縮ガス供給導管（４）と、液体を供給するための液体供給導管（３２）と、液体−ガス混合物の微細液滴またはスプレーミストを噴霧するための開口管端部を有する分配管（２４）と、前記圧縮ガス供給導管（４）に配置される作動可能なバルブ要素（６）とを備え、
断面積を有する絞り部（２６）が前記分配管（２４）に設けられ、融合部（３０）が前記絞り部（２６）の領域に配置され、前記絞り部（２６）を通して液体が前記圧縮ガス供給導管（４）からのガス流に融合し、前記絞り部（２６）が前記分配管（２４）におけるノズルを形成し、
前記圧縮ガス供給導管（４）は、前記分配管（２４）によって当該圧縮ガス供給導管（４）を少なくとも越える領域において周囲を完全に覆われる流出管（２）として設けられ、
前記融合部（３０）は、流れの方向に対してノズル（２６）の上流に配置されることを特徴とする、医療噴霧装置、特に洗浄システム。
【請求項２】
吸引導管（３８）に接続される吸引具が、前記分配管（２４）の開口管端部の領域に設けられ、前記吸引具は好ましくは吸引管（３６）を備え、前記吸引管（３６）に前記吸引導管（３８）が融合し、前記吸引管（３６）は特に好ましくは前記分配管（２４）を囲むことを特徴とする、請求項１に記載の医療噴霧装置。
【請求項３】
漏斗（２８）が、管の最も端に、特に前記分配管（２４）または前記吸引具に配置され、前記漏斗は生成される噴霧錐体を制限し、および／または整列させるのに適していることを特徴とする、請求項１または２に記載の医療噴霧装置。
【請求項４】
前記バルブ要素（６）が、通路（８）を有する回転バルブ（６）、特に回転対称回転バルブ（６）、好ましくは円錐または円筒回転バルブ（６）であり、前記回転バルブ（６）はベアリングのように支持され、前記回転バルブ（６）は、前記圧縮ガス供給導管（４）の一部を規定する流出本体（１０）における凹部において回転でき、前記回転バルブ（６）は好ましくは、トリガ（１２）により作動でき、前記回転バルブ（６）および前記トリガ（１２）は同じ部品として設けられることが特に好ましいことを特徴とする、請求項１〜３のいずれか一項に記載の医療噴霧装置。
【請求項５】
前記バルブ要素（６）がバネ要素（１４）により閉じた状態に維持され、前記バネ要素（１４）は好ましくは、トリガ（１２）の片側に取り付けられることを特徴とする、請求項１〜４のいずれか一項に記載の医療噴霧装置。
【請求項６】
前記噴霧装置は、プラスチック材料、好ましくは熱可塑性プラスチック材料、特に好ましくはガンマ線滅菌に適した熱可塑性プラスチック材料から実質的になり、特に前記分配管（２４）、バルブ要素（６）、圧縮ガス供給導管（４）、漏斗（２８）、吸引管（３６）、流出本体（１０）および／または絞り部（２６）はプラスチック材料からなることを特徴とする、請求項１〜５のいずれか一項に記載の医療噴霧装置。
【請求項７】
前記絞り部（２６）が、三角形の断面積を有する円環により実装され、前記三角形の断面積の角の１つは前記環の中心に方向付けられることを特徴とする、請求項１〜６のいずれか一項に記載の医療噴霧装置。
【請求項８】
前記噴霧装置は、前記圧縮ガス供給導管（４）におけるガス圧を設定するために使用され得る設定可能な減圧弁（３４）を備えることを特徴とする、請求項１〜７のいずれか一項に記載の医療噴霧装置。
【請求項９】
請求項１〜８のいずれか一項に記載の医療噴霧装置と、
ガス供給導管（１８）、特にフレキシブルなガス供給導管（１８）と、
減圧弁（３４）と、
を含む、噴霧装置キット。
【発明の詳細な説明】
【技術分野】
【０００１】
本発明は、ガス流を生成するための圧縮ガス供給導管と、液体を供給するための液体供給導管と、液体−ガス混合物の微細液滴またはスプレーミストを噴霧するための開管端部を有する分配管と、圧縮ガス供給導管に配置される作動可能なバルブ要素とを備える、医療噴霧装置、特に洗浄システムに関する。本発明はまた、この種の医療噴霧器具を含む噴霧装置キットに関する。
【背景技術】
【０００２】
医療噴霧装置は、創傷、空洞、インプラントまたは身体部分を洗浄するためのガス−液体混合物から構成される噴霧ジェットまたは噴霧錐体を生成するために使用される。
【０００３】
洗浄システムは組織領域を洗浄するために医療噴霧装置として手術に広範に使用される。具体的には、人工器官を移植する間、および感染修復の間、洗浄システムは非常に重要である（非特許文献１、非特許文献２、非特許文献３、非特許文献４および非特許文献５）。組織領域は等張食塩水などの適切なリンス液体の噴霧パフによる洗浄の間に洗浄される。これに関して、１分当たり数千以下の噴霧パフが一般的である。
【０００４】
パルス洗浄システムは昔から知られている。これに関して、未審査の特許文献１、特許文献２および特許文献３が例示目的のために引用される。現在市販されている洗浄システムは電気モータ（例えば、Ｓｔｒｙｋｅｒ  ＧｍｂＨ  ＆  Ｃｏ．ＫＧ製のＩｎｔｅｒＰｕｌｓｅ（登録商標）Ｊｅｔ  ｌａｖａｇｅ）または圧縮ガス（例えば、Ｈｅｒａｅｕｓ  Ｍｅｄｉｃａｌ  ＧｍｂＨ製のＰＡＬＡＶＡＧＥ（登録商標））により駆動される。
【０００５】
特許文献４は、ギアを介して電気モータにより駆動されるポンプを有する洗浄システムを開示している。前記ポンプは液体のジェットを生成する。モータのためのエネルギーは電気ケーブルにより供給される。
【０００６】
特許文献５は、膜ポンプを駆動するリフティング磁石を有するジェット洗浄を提案している。
【０００７】
圧縮空気により駆動されるシステムは通常、それらの駆動部として圧縮空気モータを利用する。ほとんどのシステムにおいて、これは翼型の圧縮空気モータに関する。圧縮空気モータは後で、振動直線運動に変換される回転運動を生じる。振動直線運動は、少量のリンス媒体に運動量を伝えるために利用される。これに関して、パルスをリンス液体に送達できるように、リンス液体の駆動部と入力部との間に少なくとも１つの膜を配置することが一般的である。これにより、噴霧パフが生成される。１分当たり２，０００〜３，０００パルスの高パルス速度において、数百ミリリットルの範囲の体積のリンス液体が噴霧される。このことは、圧縮空気モータが、そのような高回転速度を許容するように高精度に製造されることを必要とすることを意味する。さらに、十分に安定な保存が利用可能でなければならない。これらの理由のために、圧縮空気モータは、一般的な圧縮空気により駆動される洗浄システムの中で最も高価なコンポーネントである。従って、圧縮空気モータは一般に、このコンポーネントが適切な再処理および滅菌後に何度も使用され得るように、金属または他の耐久性材料から作製されたハンドルに配置される。
【０００８】
バッテリーにより作動される洗浄システムもまた、有用であることが証明されている。しかしながら、その性質に起因して制限された電荷容量のみを有する大きなバッテリーブロックが常に携帯されることを必要とされる。圧縮空気により駆動される洗浄システムは、圧縮空気が多くの手術室において制限を受けない量で利用可能であるという点で比較的有益であり、従って、エネルギー供給が制限されずにリンス液を任意の所望の時間、噴霧することができる。しかしながら、１つの問題は、圧縮空気のホースが、洗浄システムを固定された圧縮空気導管に接続するために常に必要とされることである。
【０００９】
好都合に薬学的に活性な物質を含有できる滅菌水および水溶液が洗浄システムのための液体に使用され得る。残留物を含有するリンス水は第２のチャネルを介して洗浄システムにより吸引され得る。
【００１０】
作動可能なバルブにより圧縮ガスを供給できる圧縮ガスモータにより直線的に振動する乳棒が駆動される一般的な洗浄システムが特許文献６から知られている。乳棒は洗浄システムの膜に周期的に衝突し、それにより、液体のパルスジェットを生成するための周期的動作で膜ポンプを形成する。
【００１１】
前記洗浄システムの複雑な構造は不都合がある。衛生条件のために、洗浄システムの少なくとも一部は滅菌可能であることを必要とするか、または洗浄システムは可能な限り安価である使い捨て製品であることを必要とする。
【先行技術文献】
【特許文献】
【００１２】
【特許文献１】米国特許第４，５８３，５３１Ａ号
【特許文献２】米国特許第４，２７８，０７８Ａ号
【特許文献３】米国特許第５，５４２，９１８Ａ号
【特許文献４】米国特許出願公開第２００３  ０３６  ７２３Ａ１号
【特許文献５】独国特許出願公開第１０  ２００９  ０２１  ４２１  Ａ１号
【特許文献６】独国特許出願公開第１０  ２０１０  ０４６  ０５７  Ｂ３号
【非特許文献】
【００１３】
【非特許文献１】Ｒ．Ｍ．Ｓｈｅｒｍａｎら：「Ｔｈｅ  ｒｏｌｅ  ｏｆ  ｌａｖａｇｅ  ｉｎ  ｐｒｅｖｅｎｔｉｎｇ  ｈｅｍｏｄｙｎａｍｉｃ  ａｎｄ  ｂｌｏｏｄ−ｇａｓ  ｃｈａｎｇｅｓ  ｄｕｒｉｎｇ  ｃｅｍｅｎｔｅｄ  ａｒｔｈｒｏｐｌａｓｔｙ」Ｊ．Ｂｏｎｅ  Ｊｏｉｎｔ．Ｓｕｒｇ．１９８３；６５−Ａ：５００−５０６
【非特許文献２】Ｓ．Ｊ．Ｂｒｅｕｓｃｈら：Ｚｅｍｅｎｔｉｅｒｔｅ  Ｈｕｆｔｅｎｄｏｐｒｏｔｈｅｔｉｋ：Ｖｅｒｍｉｎｄｅｒｕｎｇ  ｄｅｓ  Ｆｅｔｔｅｍｂｏｌｉｅｒｉｓｉｋｏｓ  ｉｎ  ｄｅｒ  ｚｅｍｅｎｔｉｅｒｔｅｎ  Ｈｕｆｔｅｎｄｏｐｒｏｔｈｅｔｉｋ  ｍｉｔｔｅｌｓ  ｇｅｐｕｌｓｔｅｒ  Ｄｒｕｃｋｓｐｕｌｕｎｇ，Ｏｒｔｈｏｐａｄｉｅ２０００；２９：５７８−５８６
【非特許文献３】Ｓ．Ｊ．Ｂｒｅｕｓｃｈら：Ｌａｖａｇｅ  ｔｅｃｈｎｉｑｕｅ  ｉｎ  ＴＨＡ：Ｊｅｔ−ｌａｖａｇｅ  Ｐｒｏｄｕｃｅｓ  Ｂｅｔｔｅｒ  Ｃｅｍｅｎｔ  Ｐｅｎｅｔｒａｔｉｏｎ  Ｔｈａｎ  Ｓｙｒｉｎｇｅ−Ｌａｖａｇｅ  ｉｎ  ｔｈｅ  Ｐｒｏｘｉｍａｌ  Ｆｅｍｕｒ；Ｊ．Ａｒｔｈｒｏｐｌａｓｔｙ．２００；１５（７）：９２１−９２７ページ
【非特許文献４】Ｒ．Ｊ．Ｂｙｒｉｃｋら：Ｈｉｇｈ−ｖｏｌｕｍｅ，ｈｉｇｈ  ｐｒｅｓｓｕｒｅ  ｐｕｌｓａｔｉｌｅ  ｌａｖａｇｅ  ｄｕｒｉｎｇ  ｃｅｍｅｎｔｅｄ  ａｒｔｈｒｏｐｌａｓｔｙ；Ｊ．Ｂｏｎｅ  Ｊｏｉｎｔ  Ｓｕｒｇ．１９８９；８１−Ａ：１３３１−１３３６ページ
【非特許文献５】Ｊ．Ｃｈｒｉｓｔｉｅら：Ｍｅｄｕｌｌａｒｙ  ｌａｖａｇｅ  ｒｅｄｕｃｅｓ  ｅｍｂｏｌｉｃ  ｐｈｅｎｏｍｅｎａ  ａｎｄ  ｃａｒｄｉｏｐｕｌｍｏｎａｒｙ  ｃｈａｎｇｅｓ  ｄｕｒｉｎｇ  ｃｅｍｅｎｔｅｄ  ｈｅｍｉａｒｔｈｒｏｐｌａｓｔｙ，Ｊ．Ｂｏｎｅ  Ｊｏｉｎｔ  Ｓｕｒｇ．１９９５；７７−Ｂ：４５６−４５９ページ
【発明の概要】
【発明が解決しようとする課題】
【００１４】
本発明の目的はこれらおよび上記に特定されていない他の不都合な点を克服することである。特に、容易に挿入し、資源を節約できるように設計され得る、より費用のかからないシステムが提供される。
【００１５】
本発明はまた、最小数の部分からなり、圧縮ガスにより駆動される簡単な医療噴霧装置を開発するという目的に基づく。駆動装置は、大部分、簡単な手順により製造され得る安価な材料からなるべきである。これにより、低い製造および組み立てコストで使い捨てのための医療噴霧装置の提供が可能となる。正確で安定なベアリングのような支持を必要とする高価な回転または可動部分は最小にされるべきである。
【課題を解決するための手段】
【００１６】
前記目的は、ガス流を誘導するための圧縮ガス供給導管と、液体を供給するための液体供給導管と、液体−ガス混合物の微細液滴またはスプレーミストを噴霧するための開口管端部を有する分配管と、圧縮ガス供給導管に配置される作動可能なバルブ要素とを備え、断面積を有するしぼり部が分配管に設けられ、融合部が絞り部の領域に配置され、その絞り部を通して液体が圧縮ガス供給導管からのガス流に融合し、絞り部が分配管におけるノズルを形成する、医療噴霧装置、特に洗浄システムにより達成される。
【００１７】
これに関して、絞り部の断面積は流出管の内部断面積を減少させる。したがって、流出管により形成される導管の断面積は減少する。
【００１８】
これに関して、本発明は、分配管の開口管端部の領域に配置される吸引導管に接続される吸引具を提供でき、吸引具は好ましくは吸引管を備え、その吸引管に吸引導管が融合し、吸引管は特に好ましくは分配管を囲む。
【００１９】
吸引具は噴霧により分離される残留物を吸引するために使用され得る。
【００２０】
さらに、本発明は、管の最も端に、特に分配管または吸引具に配置される漏斗を提供でき、その漏斗は生成される噴霧錐体を制限し、および／または整列させるのに適している。
【００２１】
噴霧装置がまた、吸引具を有する場合、吸引効果もまた、漏斗に関連する。
【００２２】
本発明の特に好ましい実施形態によれば、バルブ要素は、通路を有する回転バルブ、特に回転対称バルブ、好ましくは円錐または円筒回転バルブであり、その回転バルブは、それが、圧縮ガス供給導管の一部を規定する流出本体における凹部において回転できるようにベアリングのように支持され、その回転バルブは好ましくはトリガにより作動でき、回転バルブおよびトリガは同じ部品として設けられることが特に好ましい。
【００２３】
前記設計の回転バルブは安価に製造され得、噴霧装置の対応する凹部に容易に挿入され得る。原則に基づいて、例えば電気手段により制御され得る他のバルブ要素が同様に想定可能である。しかしながら、前記バルブ要素は、製造するのに、より資源を消費するので、より高価である。さらに、適用する場合、設けられる電圧源を必要とされ得る。
【００２４】
したがって、バルブ要素として回転バルブを有することが特に好ましい。最も簡単な場合、回転バルブは、少なくとも１つの特有のボアホールを含む単に円筒または円錐からなり、円筒または円錐は、単なる円筒形または円錐形バルブシートに配置される。したがって、回転バルブは、プラスチック材料の射出成形により安価かつ比較的簡単に製造され得る。
【００２５】
本発明に係る噴霧装置の別の改良は、バネ要素によって閉じた状態に維持されるバルブ要素を提供でき、バネ要素は好ましくはトリガの方側に取り付けられる。
【００２６】
バルブ要素がアクティブな作用により閉じなければならない場合、前記設計は作動することが容易である。
【００２７】
特に好ましくは、本発明は、プラスチック材料、好ましくは熱可塑性プラスチック材料、特に好ましくはガンマ線滅菌に適した熱可塑性プラスチック材料から実質的になる噴霧装置を提供でき、特に分配管、バルブ要素、圧縮ガス供給導管、漏斗、吸引管、流出本体および／または絞り部がプラスチック材料からなる。
【００２８】
プラスチック材料は製造が安価である。熱可塑性プラスチック材料の使用により、噴霧装置は、射出成形により多くの部分を安価に製造することができる。これにより、噴霧装置は使い捨て物品として使用するのに十分に安く製造できる。手術分野における医療製品のための厳格な臨床要件を満たすために、ガンマ線滅菌に適したプラスチック材料が特に医療用途に十分に適している。
【００２９】
特に安価な設計における本発明の改変によれば、圧縮ガス供給導管が設けられ、少なくとも前記圧縮ガス供給導管の領域上に、流出管が配置され、少なくとも前記流出管の領域上に、特に完全に分配管が配置され、圧縮ガス供給導管は好ましくは、供給ノズルを通して分配管に融合する。
【００３０】
本発明の改良は、流れ方向に対してノズルの上流に配置される融合部を提供できる。
【００３１】
これに関して、本発明は、特に三角形の断面積を有する円環により実装される絞り部を提供でき、三角形の断面積の角の１つは環の中心に方向付けられる。
【００３２】
あるいは、本発明は絞り部に配置される融合部を提供でき、ノズルは好ましくはベンチュリノズルである。
【００３３】
これにより、特に十分に方向付けられたジェットおよび／または錐体が生成できる。
【００３４】
本発明は、好ましくは液体二酸化炭素で充填された圧縮ガス容器を備える噴霧装置を同様に提供でき、圧縮ガス容器は好ましくはハンドル部に配置される。
【００３５】
前記実施形態は、圧縮ガス供給導管またはコンプレッサが使用される場所に存在するか否かには関係ない。前記噴霧装置は特に携帯使用に十分に適している。
【００３６】
本発明の特に好ましい改良は、圧縮ガス供給導管にガス圧を設定するように使用され得る設定可能な減圧弁を備える噴霧装置を提供する。
【００３７】
ジェットおよび／または噴霧錐体の圧力は、処置される組織または材料に合うように調整され得る。この理由のために、この種の噴霧装置は様々な適用を有する。
【００３８】
本発明は特に好ましくは、圧縮ガス供給導管の端部に配置され、好ましくは流出管により形成される第２のノズルを提供でき、その圧縮ガス供給導管を通して、流動ガスが絞り部の方向において圧縮ガス供給導管から出ていく。
【００３９】
前記第２のノズルは、特にガス−液体スプレーミストを生成し、液体のパフのカオス的なパルス状排出を促進するのに十分に適したガス流を生成する。
【００４０】
本発明の目的はまた、この種の医療噴霧装置と、ガス供給導管、特にフレキシブルなガス供給導管と、減圧弁と、圧縮ガス容器とを含む、噴霧装置キットにより達成される。
【００４１】
本発明は、絞り部を通る流れにおける付随する力と併せて分配管における絞り部により、ガス−液体噴霧ジェットおよび／またはガス−液体噴霧錐体を生成でき、液滴がガス流を通して連行されるという驚くべき発見に基づく。このように生成される噴霧ジェットは医療処置に適している。液滴の確率的およびカオス的連行により、非周期的パルスが生成され、驚くべきことに、本発明の試験により示されるように良好な洗浄効果を導く。同時に、噴霧ジェットは安定であり、公知の洗浄システムおよび／または医療噴霧装置と比較して相当な洗浄効果がわずかな時間で達成され得る。
【００４２】
医療噴霧装置は、最初に圧縮ガス供給導管を通してバルブ要素に誘導される圧縮ガスに基づく。バルブ要素を開口することにより、圧縮ガスは流出管内に流れることができ、次いで第２のノズルとして設けられる流出管の開口端部を通り、分配管に流れることができ、絞り部を通る。絞り部により、ガスおよび／またはガス−液体混合物の流速が増加し、流れ方向に対して垂直に負圧が生成される。前記負圧は取り入れた液体から出ていく液体を吸引する。吸引された液体は絞り部により形成されるノズルの方向へ移動し、流れるガス流と混合する。これにより液体−ガス噴霧ジェットが生成される。前記噴霧ジェットは微細に分散された液滴を含み、その開口管端部において分配管から出ていく。
【００４３】
したがって、本発明に係る医療噴霧装置は以下から構成され得る：
ａ）圧縮ガス供給導管、
ｂ）圧縮ガス供給導管に接続されるバルブ要素、
ｃ）バルブ要素に接続され、バルブ要素から離れた端部におけるノズルとして設けられる中空流出管、
ｄ）流出管を囲む開口管端部および閉鎖管端部を有する分配管、
ｅ）分配管における少なくとも１つの絞り部、その絞り部は流出管のノズルに対して開口管端部の方向に配置される、
ｆ）液体が透過する形式で分配管に接続される液体取り込み部、その液体取り込み部は管の開口端部に対して流出管のノズルの下流に配置される。
【００４４】
その簡便性のために、本発明に係る駆動装置は有益には、使い捨て物品として製造されてもよい。
【００４５】
第３のノズルが、適用可能な場合、噴霧ジェットの形状を制御するために分配管の開口端に取り付けられてもよい。前記第３のノズルは、噴霧ジェットの所望の形状に従って配置される１つ以上の開口部を含んでもよい。
【００４６】
本発明は好都合には、ハウジングに配置される噴霧装置を提供でき、そのハウジングの少なくとも領域はハンドルとして提供され、特に好ましくはピストル様ハンドルとして提供される。
【００４７】
有益には、バルブ要素はバネにより閉鎖状態に押されるトリガに接続される。これに関して、バネおよびトリガの部分はハウジング内にベアリングのように支持される。
【００４８】
さらに、本発明に係る噴霧装置を有する本発明に係る噴霧装置キットは、フレキシブルなガス供給導管と、減圧弁と、圧縮ガス容器とを含んでもよい。
【００４９】
想定される圧縮ガス容器および／または圧縮ガスカートリッジは全て、非毒性のガスで充填されたカートリッジ、特に金属カートリッジである。しかし、液体二酸化炭素で充填されたカートリッジが特に好ましい。二酸化炭素は非毒性であり、非可燃性であり、非爆発性であり、安価である。洗浄ガス体積は液体二酸化炭素の形態で小さなカートリッジに保存されてもよい。
【００５０】
噴霧装置キットの特定の有益性は、固定された圧縮空気供給導管を必要としないが、強力な噴霧ジェットが依然として生成され得ることである。圧縮ガスの使用は、電気駆動装置の場合のように火災または爆発の危険性に関連しない。また、存在するバッテリーブロックまたは再充填可能なバッテリーブロックを有することも必要としない。
【００５１】
本発明の種々の実施形態は本発明の範囲を反映する簡単な実施変形例である。噴霧装置の設計は全ての場合においてかなり簡単なままである。
【００５２】
本発明の例示的な実施形態を３つの概略的な図面に基づいて以下に例示するが、それらは本発明の範囲を限定するものではない。
【図面の簡単な説明】
【００５３】
【図１】本発明に係る噴霧装置の概略的な断面図を示す。
【図２】吸引具を有する本発明に係る代替の噴霧装置の概略的な断面図を示す。
【図３】ベンチュリノズルを有する本発明に係る第３の噴霧装置の概略的な断面図を示す。
【発明を実施するための形態】
【００５４】
図１は本発明に係る噴霧装置の概略的な断面図を示す。噴霧装置のコアは圧縮ガス供給導管４を有する流出管２により構成される。供給路８を有する回転バルブ６が圧縮ガス供給導管４に配置される。供給路８は圧縮ガス供給導管４と同じ断面を有し、回転バルブ６の開口位置において圧縮ガス供給導管４を接続し、圧縮ガス供給導管４の延長部を形成する。回転バルブ６は流出管２の流出本体１０内に円錐形コンポーネントとして挿入または圧入できる。回転バルブ６はトリガ１２により操作できる。
【００５５】
弾性鋼バネ１４の形態の復元要素１４がトリガ１２に設けられる。バネ誘導ロッドがバネ１４の内側に配置される。圧縮ガス源に接続されるか、または接続されることができるホース１８が、流出管２および／または圧縮ガス供給導管４の延長部を形成するソケット１６に固定される。流出本体１０および噴霧装置の残りの後部は、後方において、ピストルハンドルと類似したハンドル２２を形成するハウジング２０に収容される。バネ１４はトリガ１２およびハウジング２０に接続され、トリガ１２が示した位置のままにあり、それ故、回転バルブ６が閉鎖した状態であることを確保する。片手で洗浄システムを扱い、バネ１４のバネ力に対して同じ手の指を用いてピストルのようにトリガ１２を操作でき、それにより回転バルブ６を開口できる。トリガ１２が解放されるとすぐに、バルブ要素６も再び閉鎖する。
【００５６】
流出管２は、バルブ（図示せず）を介して、分配管２４から一定の距離で流出管２を囲む分配管２４に融合する。回転バルブ６が開口した状態で、圧縮ガスが圧縮ガス供給導管４を介して分配管２４内に流れる場合、圧縮ガスは、流出管２の端部のちょうど下流の絞り部２６（この絞り部２６はノズルの形式でガスを加速する）のこの部位に出てくる。漏斗２８が分配管２４の端部に配置される。
【００５７】
絞り部２６の領域におけるガスの加速は融合部３０の領域において負圧を生じる。前記負圧により、液体供給導管３２を介して液体が吸引され、次いでその液体は流出管２からのガス流により注入口の領域に連行される。そのプロセスにおいて、液体の液滴が生成され、ガス流と混合する。最後に、液体の液滴と混合したガス流が漏斗２８を介して排出される。
【００５８】
回転スイッチ（図示せず）がハンドル２２に設けられ、場合によって、ガス供給導管１８および／またはホース１８に配置される減圧弁３４を設定するために使用され得る。減圧弁３４は、ソケット１６に到達し、圧縮ガス供給導管４を通してガス流が液体と混合される領域においてもその効果を与えるガス圧を設定するために使用され得る。ガス圧は、漏斗２８から出ていき、および／または噴霧装置により生成される噴霧錐体の強さおよび／または体積流量にも重要である。これにより、噴霧錐体の強さを設定できる。噴霧錐体がただ１つの強さを有することを望まれる場合、および／または特に噴霧装置の安価な変形が望まれる場合、減圧弁３４を省略することも実施可能である。
【００５９】
医療噴霧装置は、噴霧錐体の強さおよびそれによる効果を設定できる、可変洗浄システムとして使用されてもよい。圧縮ガス源は中心の圧縮ガス器具であってもよいか、または必要なガス圧を生成するためにホース１８がＣＯ２カートリッジもしくは圧縮器に接続されることも好都合であり得る。
【００６０】
バネ１４および減圧弁３４を除いた噴霧装置全体はプラスチック材料から安価に製造されてもよい。
【００６１】
図２は本発明に係る噴霧装置の代替の実施形態の概略的な断面図を示す。その噴霧装置は基本的に、減圧弁３４が排除され、吸引具が追加で設けられていることを除いて図１に係るものと同様に設計される。この目的のために、吸引管３６が分配管２４周囲に配置され、その吸引管３６は吸引導管３８および液体供給導管３２のための供給路を備える。この場合、漏斗２８が、最も外側の管３６、すなわち吸引管３６に配置される。
【００６２】
負圧が吸引導管３８に適用されるか、または分配管２４の前端から垂れる液体残留物および使用済みの液体を吸引するのに十分である少しの負圧を生成するポンプが接続される。吸引具は好ましくは組織により汚染された液体を吸引するために使用される。５０ｍｂａｒ〜４００ｍｂａｒの範囲の負圧がこの目的のために十分である。高速ガス−液体ジェットおよび／または錐体はこのプロセスにおいて吸引されない。なぜならジェットおよび／または錐体の運動はこれに関して非常に速く発生するからである。
【００６３】
他の内部に、かつ互いから一定の距離で配置される管２、２４、３６による図１および２に係る噴霧装置の実施形態は、噴霧装置の製造を特に容易にし、安価にすることを意味する。供給および分配導管３２、３８を有する管２、２４、３６、回転バルブ６、トリガ２２、ハウジング２０、流出本体１０、ソケット１６、および漏斗２８は、射出成形法によって、および組み立てが容易であるプラスチック部品として製造されてもよい。
【００６４】
図３は本発明の別の実施形態の概略的な断面図を示す。示した医療噴霧装置は、圧縮ガス供給導管５４の前領域を制限する流出管５２を備える。回転バルブ５６が、圧縮ガス供給導管５４に配置され、回転バルブ５６がその開口位置にある場合、圧縮ガス供給導管５４と同じ断面を有し、延在し、圧縮ガス供給導管５４に接続する供給路５８を備える。回転バルブ５６は、図１および２に係る回転バルブ６と同じ形式で流出本体６０内に挿入され、復元バネ６４を有するトリガ６２により同じ形式で操作できる。
【００６５】
図の平面に位置していないので、図３において破線によりトリガ６２を示す。トリガ６２および流出本体６０を構築するのに自由な設計を確保するために、トリガ６２は回転バルブ５６を通る供給路５８と同じ平面に配置されていないことが好ましい。そして流出本体６０は、トリガ６２の可動により必要とされる部位に凹部を有することを必要としない。図１および２に示したように、この種の凹部は圧縮ガス供給導管４、５４のようであってもよい。さらに、供給路８、５８が前記凹部により周囲部に不注意に接続される危険性がある。したがって、図３に係る好ましい実施形態と同様に、図１および２に係る実施形態は、好ましくは、トリガ１２、６２を供給路８、５８の平面に対してオフセットして備える。
【００６６】
圧縮ガス供給導管５４の延長部を形成するコネクタ６６は、ガス圧を噴霧装置に供給する圧縮ガスカートリッジ６８を接続する。コネクタ６６は、その内部に設けられる減圧弁（図示せず）を有し、その減圧弁は、外側から作動でき、圧縮ガスカートリッジ６８から圧縮ガス供給導管５４内に供給されるガス圧を設定するために使用される。圧縮ガスカートリッジ６８はハウジング７０のハンドル部７２に配置される。
【００６７】
流出管５２は絞り部７６を通して分配管７４に融合する。分配管７４は、噴霧装置を用いて生成される噴霧錐体を整列させ、制限する漏斗７８により周囲に対する外側に対して開口する。融合部８０は、絞り部７６の領域に設けられ、絞り部７６において液体供給導管８２を供給路に接続する。この場合、供給路は分配管７４の一部であると解釈され、絞り部７６は分配管７４の一部であるとみなされる。液体供給導管８２は絞り部７６において供給路に垂直に到達し、その中でベンチュリノズル８４を形成する。
【００６８】
絞り部７６の内側の断面は圧縮ガス供給導管５４および分配管７４の断面と比較して減少する。導管を通して圧縮ガスカートリッジ６８から流れるガスは絞り部７６の領域において加速される。ベルヌーイおよびベンチュリに従って、液体供給導管８２において負圧が生じ、それにより、融合部８０の領域内の液体が、ガス流によりベンチュリノズル８４を通して連行される。これにより、漏斗７８および／または場合によっては分配管７４の開口部を通して噴き出されるガス−液体混合物が生成する。
【００６９】
流出管５２、分配管７４、流出本体６０、漏斗７８、およびコネクタ６６は、プラスチック材料製の同じ部品として製造されてもよい。同様に、バルブ要素５６およびトリガ６２はプラスチック材料製の同じ部品として製造されてもよい。
【００７０】
好ましくは、図１、２および３に係る全ての実施形態の全てのプラスチック部品について熱可塑性プラスチック材料が使用されてもよい。
【００７１】
上述の説明、特許請求の範囲、図面および例示的な実施形態に開示された本発明の特徴は、単独および任意の組み合わせの両方で本発明の種々の実施形態を実施するのに本質的であり得る。
【符号の説明】
【００７２】
２、５２  流出管
４、５４  圧縮ガス供給導管
６、５６  回転バルブ／バルブ要素
８、５８  供給路
１０、６０  流出本体
１２、６２  トリガ
１４、６４  バネ
１６  コネクタ
１８  ホース
２０、７０  ハウジング
２２、７２  ハンドル／ハンドル部
２４、７４  分配管
２６、７６  絞り部／第１のノズル
２８、７８  漏斗
３０、８０  融合部
３２、８２  液体供給導管
３４  減圧弁
３６  吸引管
３８  吸引導管
６６  コネクタ／接続管
６８  圧縮ガスカートリッジ
８４  ベンチュリノズル
【図１】
0005947242.tif 000002
【図２】
0005947242.tif 000003
【図３】
0005947242.tif 000004